(57)【要約】【課題】  仕切り壁によって仕切られた空間において、その仕切り壁の開孔部からの吸排気流を抑制する装置、例えば、凍結室、冷却室内への開孔部からの吸排気流を抑制する気流制御装置を提供することにある。【解決手段】  気流抑制装置１の筐体４の両側面4aのファン６から吸気されたエアcは、気流抑制装置１中央のベルトコンベア７に向って流れる。両側面4aのファン６から吸気されたエアを同量とすることによりエアは気流抑制装置１中央でぶつかり、ベルトコンベア７に沿う方向に気流dを形成する。形成された気流dは、ベルトコンベア７に沿って進み、開孔部３から凍結室の内部に向う気流と正面からぶつかり、凍結室の内部に向う気流を凍結室の開孔部３全面に渡って均等に抑制することができる。【選択図】        図３
2006258356.tif 000002
【特許請求の範囲】
【請求項１】
仕切り部の開孔部に設置される気流抑制装置において、前記開孔部を覆い前記仕切り部に対向する面に開口部を有する筐体と、前記筐体の他の対向する面に設けられた送風部とを備えることを特徴とする気流抑制装置。
【請求項２】
前記他の対向する面が前記仕切り部とほぼ直交することを特徴とする請求項１記載の気流抑制装置。
【請求項３】
前記仕切り部の前記開孔部と前記開口部を通る搬送路を有することを特徴とする請求項１または請求項２記載の気流抑制装置。
【請求項４】
前記送風部がファンを有することを特徴とする請求項１乃至請求項３のいずれか１項に記載の気流抑制装置。
【請求項５】
前記送風部が給排気できることを特徴とする請求項１乃至請求項３のいずれか１項に記載の気流抑制装置。
【請求項６】
前記ファンの回転を制御して給排気する制御手段を備えることを特徴とする請求項４記載の気流抑制装置。
【発明の詳細な説明】
【技術分野】
【０００１】
この発明は、壁などの仕切り部によって仕切られた空間などにおいて、その仕切り部の開孔部からの吸排気流を抑制する装置、例えば、凍結室、冷却室内への開孔部からの吸排気流を抑制する気流抑制装置に関する。
【背景技術】
【０００２】
従来、凍結室、冷却室において、ベルトコンベアでの連続的な製品の出し入れのために外部に対して開放された開孔部が必要な場合、その開放状態の開孔部から当該室への気流を抑制する手段として、いわゆるエアカーテン方式が一般的に用いられていた(例えば、特許文献１参照)。エアカーテン方式とは部屋の開孔部にエアを流して外部から当該室への気流を遮断する方法である。
【０００３】
また、エアカーテン方式に代わって開孔部の前あるいは後ろに予備室を設けて予備室の圧力を外部と同圧力に調整することで、開孔部の気流を抑制する方式が提案されている(例えば、特許文献２参照)。
【特許文献１】特開２０００−２４９３８２号公報
【特許文献２】特開平３−２８６９８３号公報
【発明の開示】
【発明が解決しようとする課題】
【０００４】
しかしながら、部屋の開孔部にエアを流して外部から当該室への気流を遮断するエアカーテン方式には、以下の問題点がある。
【０００５】
（１）開孔部内で上下、左右いずれの方向にエアを流した場合であっても、開孔部全体に均等に圧力をかけることができないこと。例えば、エアカーテンは通常はメンテナンス性を考慮し、上方から下方への気流が一般的であるが、エアカーテンの気流gはベルトコンベアにより減衰してベルトコンベアの下側で弱くなる(図１０)。
【０００６】
（２）製品表面にトッピング材あるいはパン粉等の付着物がある場合、トッピング材あるいはパン粉等が吹き飛ばされるので強力なエアは使えない。
【０００７】
（３）ベルトコンベア上でエアカーテンの気流が製品8に当たり室外に向う気流hが生じてしまう(図１１)。
【０００８】
また、予備室を設けて予備室の圧力を調整することで開孔部の気流を抑制する方式では、部屋の外部と予備室の圧力を同圧にし、巨視的に観て開孔部の気流を抑制する。しかし、単純な加圧では予備室を均一に加圧することは難しく、その場合であっても、外部からの微小物、例えば、微細な異物や不純物の拡散による予備室内部への流入を抑制することは難しいという問題があった。
【０００９】
本発明は以上の点を考慮してなされたもので、本発明の目的は、仕切り部の開孔部からの吸排気流を抑制する装置、例えば、凍結室、冷却室内への開孔部からの吸排気流を抑制する気流抑制装置を提供することにある。
【課題を解決するための手段】
【００１０】
請求項１の発明は、仕切り部の開孔部に設置される気流抑制装置において、前記開孔部を覆い前記仕切り部に対向する面に開口部を有する筐体と、前記筐体の他の対向する面に設けられた送風部とを備えるものである。
【００１１】
請求項２の発明は、前記他の対向する面が前記仕切り部とほぼ直交するものである。
【００１２】
請求項３の発明は、前記仕切り部の前記開孔部と前記開口部を通る搬送路を有するものである。
【００１３】
請求項４の発明は、前記送風部がファンを有するものである。
【００１４】
請求項５の発明は、前記送風部が給排気できるものである。
【００１５】
請求項６の発明は、前記ファンの回転を制御して給排気する制御手段を備えるものである。
【発明の効果】
【００１６】
請求項１の構成によれば、対向する面に設けられた送風部から筐体内に送風すると、空気の有する運動エネルギーが圧力に変換されて筐体内の気圧が均等に上昇し、これにより開孔部全面に均等に送風することが可能となり、開孔部から開口部に向う気流を抑制することができる。
【００１７】
また、請求項２の構成によれば、対向する送風部からの送風が、開孔部と開口部とを結ぶ方向に対して交差する方向となるから、筐体内の気圧を均一に上げることができ、必要以上に風速を上げなくても、開孔部から開口部に向う気流を抑制することができる。
【００１８】
また、請求項３の構成によれば、搬送路を送られる被搬送物の搬送方向と交差方向から送風することにより、必要以上に風速を上げる必要がなく、被搬送物に付着物などがある場合でも、該付着物の飛散を防止することができる。また、被搬送物に風が当たっても、筐体内の気圧変化が少なく、開孔部から開口部に向う気流の抑制効果を維持できる。
【００１９】
また、請求項４の構成によれば、ファンにより送風することができる。
【００２０】
また、請求項５の構成によれば、送風部から筐体内に送風する給気により、筐体内の気圧を均一に上げて、開孔部から開口部に向う気流を抑制することができる。一方、送風部から筐体外に送風する排気により、筐体内の気圧を均一に下げることができ、開口部から開孔部に向う気流が発生した場合、前記排気を行うことにより、筐体内の気圧を均一に下げ、前記開口部から開孔部に向う気流を抑制することができる。このように前記開孔部から開口部に向う気流に応じて前記給気の量を調整し、前記開口部から開孔部に向う気流に応じて前記排気の量を調整することにより、それら気流の発生を抑制できる。
【００２１】
また、請求項６の構成によれば、ファンの回転を制御して給排気できるから、送風部から筐体内に送風する給気により、筐体内の気圧を均一に上げて、開孔部から開口部に向う気流を抑制することができる。一方、送風部から筐体外に送風する排気により、筐体内の気圧を均一に下げることができ、開口部から開孔部に向う気流が発生した場合、前記排気を行うことにより、筐体内の気圧を均一に下げ、前記開口部から開孔部に向う気流を抑制することができる。このように前記開孔部から開口部に向う気流に応じて前記給気の量を調整し、前記開口部から開孔部に向う気流に応じて前記排気の量を調整することにより、それら気流の発生を抑制できる。したがって、気流に応じてファンを駆動することにより、ファンの消費電力の効率化を図ることができる。
【発明を実施するための最良の形態】
【００２２】
以下、本発明における好ましい実施例について、添付図面を参照しながら説明する。
【実施例１】
【００２３】
図１は本発明による気流抑制装置１の全体構成を示す斜視図である。また、図２は凍結室の仕切り部たる仕切り壁２の開孔部３に、当該気流抑制装置１を設置した状態を示す断面図である。なお、図２においては、凍結室の全体図は省略し、仕切り壁２と気流を抑制したい開孔部３を重点的に示した。尚、仕切り壁２は、凍結室内の空間と外部の空間とを仕切るものである。図１(a)は気流抑制装置１の前方側の全体構成を示す斜視図を、図１(b)は気流抑制装置１の後方側の全体構成を示す斜視図を示す。気流抑制装置１はほぼ直方体形状の筐体４を備え、この筐体４の仕切り壁２側である前方側は開放され、また、筐体４の後面4bには、開口部５が設けられており、仕切り壁２及び筐体４の後面4bと直交する位置にある側面4aに、筐体４の内外を連通する送風部6aが設けられ、この送風部6aに送風手段としてのファン６が取付けられている。尚、送風部6aは、側面4aに設けた開孔であって、筐体４への給排気が行われる。図２に示すように、気流抑制装置１は、凍結室の仕切り壁２の開孔部３を筐体４の前方側開放部で覆う位置に設置されている。尚、前記仕切り壁２は断熱材入りパネル材などにより構成される。そして、凍結室の仕切り壁２の開孔部３と開口部５との間には搬送路としてのベルトコンベア７が配設されている。図２におけるファン６は、ベルトコンベア７の上下のベルトの中間の位置に設けられ、相互に対向する側面4a，4aに設けられたファン６，６同士も対向する。また、それらファン６，６を制御する制御手段（図示せず）を備え、この制御手段は、ファン６，６の回転数や正逆回転の切換えなどを制御することができる。
【００２４】
次に、図３および図４に基づいて気流抑制装置１の動作を説明する。図３および図４における気流抑制装置１の構成は図１、図２の場合と同様である。図３は凍結室の仕切り壁２の開孔部３から室内に向って気流aが発生している場合、図４は凍結室内から外部に向って気流bが発生している場合を示している。図３において、気流抑制装置１の筐体４の両側面4aのファン６から吸気されたエアcは、気流抑制装置１の中央部に設置されたベルトコンベア７に向って流れる。両側面4aのファン６から吸気されたエアを同量とすることによりエアｃは気流抑制装置１の中央部でぶつかり、ベルトコンベア７に沿う方向に気流dを形成すると共に筐体４内の気圧が上昇する。前記気流dは、ベルトコンベア７に沿って進み、開孔部３から凍結室の内部に向う気流aと正面からぶつかり、凍結室の内部に向う気流aを抑制することができる。このとき、この気流dをベルトコンベア７上全面に渡って均等に形成することが可能であり、凍結室の内部に向う気流aを凍結室の開孔部３全面に渡って均等に抑制できる。また、気流抑制装置１の筐体４の両側面4aのファン６の回転数をインバータ制御により調整することでベルトコンベア７に沿う方向の気流dの流量を変えることができるので、凍結室の内部に向う気流aの変動に対しても対応が可能である。
【００２５】
このように両側面4aのファン６を駆動して筐体４内の気圧を上昇することにより、凍結室の内部に向う気流を抑制すること、または、外部に対して、微弱な気流が流出する状態にすることで、外部からの異物や不純物の凍結室内への流入も抑制できる。そして、好ましくは、気流抑制装置１内と外部の圧力（気圧）が同圧になるようにファン６を駆動し、すなわちファン６の駆動制御により筐体４内の気圧を上げ、これにより発生する外部へと向う微弱な気流dと、外部から筐体４内へ浸入しようとする微弱な気流aとが、開孔部３付近において、ぶつかって釣り合った状態を保つようにすることにより、凍結室の内部に向う気流aを遮断することができる。
【００２６】
本実施例では、気流抑制装置１内と外部の圧力（気圧）を同圧とするだけでなく、開孔部３での凍結室の内部に向う気流を積極的に抑制していることにより、単に外部の圧力と気流抑制装置１内の圧力を同圧とした場合より、異物や不純物の凍結室内への流入抑制効果は大きくなる。また、凍結室への異物や不純物の流入が抑制されることにより凍結室内で冷凍食品に付着する霜も低減することができ、冷凍食品の品質を向上させること、例えば、冷凍食品の衣のサクサク感を維持することができる。
【００２７】
また、凍結室の内部に向う気流を抑制すること、好ましくはファン６の駆動により発生する外部へと向う微弱な気流dと、外部から筐体４内へ浸入しようとする微弱な気流aとが、開孔部３付近において、ぶつかって釣り合った状態を保つこと、または、外部に対して、微弱な気流が流出する状態にすることで、凍結室内への暖かいエアの流入も抑制されるので凍結室内の保冷効果も向上する。
【００２８】
本実施例では、ベルトコンベア７の左右対称位置に配置されたファン６からのエアはベルトコンベア７上の冷凍食品の側面から冷凍食品に当たる。一般的に、ベルトコンベア７上の冷凍食品の表面積は、上面より側面の方が小さい。したがって、冷凍食品がベルトコンベア７上を並んで流れている場合、上面よりエアを当てる場合に比較して、側面よりエアを当てる場合はエアが冷凍食品に当たる断面積が小さくなり、冷凍食品へのエアの影響は小さくなる。また、同じ側面よりエアを当てる場合であっても、従来のエアシャワー方式のように、気流を遮断するために限定したエリアに集中して強力なエアを当てる必要がなく、気流抑制装置１内の広い面積にエアを当てることができるのでエアの冷凍食品への影響を抑えることができる。エアの冷凍食品への影響を抑えることで冷凍食品の品質向上、例えば、冷凍食品がコロッケ、メンチカツのような衣付き食品の場合、衣のパン粉が飛散することを防止し、冷凍食品の外観の向上、飛散した衣により凍結室内が汚れることによる品質の低下を抑えることができる。また、冷凍食品がグラタン、ドリアのようなトレイ入り食品の場合も、同様にエアの冷凍食品への影響が小さくなることで、チーズ、コーンのようなトッピング材の飛散を抑制でき食品の品質向上が図れる。
【００２９】
図４においては、気流抑制装置１の筐体４の両側面4aのファン６から気流抑制装置１内のエアeが排気されることにより、筐体４内の気圧が下がり、筐体４内にはベルトコンベア７から両側面4aのファン６への気流が生じる。両側面4aのファン６から排気されるエアを同量とすることにより両ファン６の真ん中に位置するベルトコンベア７上では、ベルトコンベア７に沿う方向に気流fが形成される。この気流fは、凍結室の開孔部３から外部に向う気流bと逆方向であり、気流ｆと気流ｂは相殺されることより、気流ｂを抑制することができる。また、気流抑制装置１の筐体４の両側面4aのファン６の回転数をインバータ制御により調整すると、ベルトコンベア７に沿う方向の気流fの流量を変えることができるので、凍結室の内部に向う気流bの変動に対しても対応が可能となる。
【００３０】
凍結室の外部に向う気流を抑制することで、凍結室内の冷気が外部へ流出するのを抑制できるので凍結室内の保冷効果を向上することができる。
【００３１】
このように本実施例では、請求項１に対応して、仕切り部たる仕切り壁２の開孔部３に設置される気流抑制装置１において、開孔部３を覆い仕切り壁２に対向する面である後面4bに開口部５を有する筐体４と、筐体４の他の対向する面たる側面4a，4aに設けられた送風部6a，6aとを備えるから、送風部6a，6aから筐体４内に送風すると、筐体４内の気圧が均等に上昇し、これにより開孔部３全面に均等に送風することが可能となり、開孔部３から開口部５に向う気流を抑制することができる。
【００３２】
また、このように本実施例では、請求項２に対応して、他の対向する面たる側面4a，4aが仕切り部たる仕切り壁２とほぼ直交するから、対向する送風部6a，6aからの送風が、開孔部３と開口部５とを結ぶ方向に対して交差する方向となり、筐体４内の気圧を均一に上げることができ、必要以上に風速を上げなくても、開孔部３から開口部５に向う気流を抑制することができる。
【００３３】
また、このように本実施例では、請求項３に対応して、筐体４の開孔部３と開口部５を通る搬送路たるベルトコンベア７を有するから、ベルトコンベア７上を送られる被搬送物たる製品の搬送方向と交差方向から送風することにより、必要以上に風速を上げる必要がなく、製品に付着物などがある場合でも、該付着物の飛散を防止することができる。また、ベルトコンベア７により搬送中の製品に風が当たっても、筐体４内の気圧変化が少なく、開孔部３から開口部５に向う気流の抑制効果を維持できる。
【００３４】
また、このように本実施例では、請求項４に対応して、送風部6aがファン６を有するから、ファン６により筐体４内に送風することができる。
【００３５】
また、このように本実施例では、請求項５に対応して、送風部6aが給排気できるから、送風部6aから筐体４内に送風する給気により、筐体４内の気圧を均一に上げて、開孔部３から開口部５に向う気流を抑制することができ、一方、送風部6aから筐体４外に送風する排気により、筐体４内の気圧を均一に下げることができ、開口部５から開孔部３に向う気流が発生した場合、前記排気を行うことにより、筐体４内の気圧を均一に下げ、開口部５から開孔部３に向う気流を抑制することができる。このように開孔部３から開口部５に向う気流に応じて前記給気の量を調整し、開口部５から開孔部３に向う気流に応じて前記排気の量を調整することにより、それら気流の発生を抑制できる。
【００３６】
また、このように本実施例では、請求項６に対応して、ファン６の回転を制御して給排気する制御手段を備えるから、送風部6aから筐体４内に送風する給気により、筐体４内の気圧を均一に上げて、開孔部３から開口部５に向う気流を抑制することができ、一方、送風部6aから筐体４外に送風する排気により、筐体４内の気圧を均一に下げることができ、開口部５から開孔部３に向う気流が発生した場合、前記排気を行うことにより、筐体４内の気圧を均一に下げ、開口部５から開孔部３に向う気流を抑制することができる。このように開孔部３から開口部５に向う気流に応じて前記給気の量を調整し、開口部５から開孔部３に向う気流に応じて前記排気の量を調整することにより、それら気流の発生を抑制できる。したがって、気流に応じてファン６を駆動することにより、ファン６の消費電力の効率化を図ることができる。
【００３７】
また、前記制御手段は、筐体４の外部における気圧の変化に対して、ファン６の回転数などを制御することにより、筐体４内の気圧を調整することができる。
【実施例２】
【００３８】
図５は、本発明による実施例２としての気流抑制装置11を示す。この場合も当該凍結室の全体図は省略し、仕切り壁２と気流を抑制したい開孔部３のみを示した。ファン６を設けた送風部6aが、気流抑制装置11の筐体４の側面4aに上下２箇所ずつある以外は、装置構成および凍結室の仕切り壁２への設置方法は実施例１の場合と同様である。ファン６を設けた送風部6aは、ベルトコンベア７の各々上下のベルトの側面4aに対応する位置に設けられている。
【００３９】
次に、図６に基づいて気流抑制装置11の動作を説明する。図６(a)は、凍結室の外部から仕切り壁２の開孔部３経由で室内に向って気流aが発生している場合を示し、図６(b)は、室内から凍結室の外部に向って気流bが発生している場合を示している。
【００４０】
図６(a)において、気流抑制装置11の筐体４の両側面4aのファン６から吸気されたエアcは、気流抑制装置11の中央部に設置されたベルトコンベア７に向って流れる。両側面4aのファン６から吸気されたエアを同量とすることによりエアｃは気流抑制装置11の中央部でぶつかり、ベルトコンベア７の長さ方向に沿う気流dを形成する。この気流dは、ベルトコンベア７に沿って進み、開孔部３から凍結室の内部に向う気流aと正面からぶつかり、凍結室の内部に向う気流aを抑制することができる。このとき、この気流dをベルトコンベア７上全面に渡って均等に形成することが可能であり、凍結室の内部に向う気流aを凍結室の開孔部３全面に渡って均等に抑制できる。本実施例では、ベルトコンベア７の上下のベルトの側面4aの対応する位置に各々送風部6aを設けたことで、ベルトコンベア７の上下のベルトに対応する各々の位置で、開孔部３経由で室内に向う気流aを個別に抑制することも可能となる。
【００４１】
図６(b)においては、気流抑制装置11の筐体４の両側面4aのファン６から気流抑制装置11内のエアeが排気されることにより、気流抑制装置11内にはベルトコンベア７から両側面4aのファン６への気流が生じる。両側面4aのファン６から排気されるエアを同量とすることにより両ファン６の真ん中に位置するベルトコンベア７上では、ベルトコンベア７に沿う方向に気流fが形成される。この気流fは、凍結室の開孔部３から外部に向う気流bと逆方向であり、気流ｆと気流ｂは相殺されることより、気流ｂを抑制することができる。本実施例では、ベルトコンベア７の上下のベルトの側面4aの対応する位置に各々ファン６を設けたことで、ベルトコンベア７の上下のベルトに対応する各々の位置で、室内から凍結室の外部に向う気流bを個別に抑制することも可能となる。
【００４２】
このように本実施例においても、仕切り部たる仕切り壁２の開孔部３に設置される気流抑制装置11において、開孔部３を覆い仕切り壁２に対向する面である後面4bに開口部５を有する筐体４と、筐体４の他の対向する面たる側面4a，4aに設けられた送風部6a，6aとを備えるから、各請求項に対応して、上記実施例１と同様な作用・効果を奏する。
【実施例３】
【００４３】
図７は、本発明による実施例３としての気流抑制装置12を示す。この場合も当該凍結室の全体図は省略し、仕切り壁２と気流を抑制したい開孔部３のみを示した。ファン６を設けた送風部6aが、気流抑制装置12の筐体４の側面4aに左右２箇所ずつある以外は、装置構成および凍結室の仕切り壁２への設置方法は実施例１の場合と同様である。ファン６を設けた送風部6aは、ベルトコンベア７の上下のベルトの中間に対応する位置に設けられている。
【００４４】
本実施例の場合も、ベルトコンベア７に沿う方向に気流d、fを形成し、凍結室の開孔部３の気流a、bを抑制する原理、および気流を抑制して得られる効果は、実施例１の場合と同様であるが、ファン６を設けた送風部6aを、各側面4aに左右２箇所ずつとしたことで、凍結室の開孔部３でのより強い気流a、bを制御することが可能となる。
【００４５】
このように本実施例においても、仕切り部たる仕切り壁２の開孔部３に設置される気流抑制装置12において、開孔部３を覆い仕切り壁２に対向する面である後面4bに開口部５を有する筐体４と、筐体４の他の対向する面たる側面4a，4aに設けられた送風部6a，6aとを備えるから、各請求項に対応して、上記各実施例と同様な作用・効果を奏する。
【実施例４】
【００４６】
図８は、本発明による気流抑制装置１と気流抑制装置11をスパイラルフリーザー14内へ設置した実施例４を示す。本実施例においては、実施例１において説明した気流抑制装置１および実施例２において説明した気流抑制装置11を設置している。気流抑制装置の選択は、抑制したい開孔部３の気流の強さや気流抑制装置の設置のために使用可能なスペースとの関係でどのタイプを選定するかは任意である。気流抑制装置１と気流抑制装置11によりスパイラルフリーザー14の開孔部３での気流a、bを抑制することができることは、実施例１、実施例２で述べた通りである。
【００４７】
スパイラルフリーザー14の内部に向う気流を抑制すること、好ましくはファン６の駆動により発生する外部へと向う微弱な気流と、外部から筐体４内へ浸入しようとする微弱な気流とが、開孔部３付近において、ぶつかって釣り合った状態を保つこと、または、外部に対して、微弱な気流が流出する状態にすることで、外部からの異物や不純物のスパイラルフリーザー14内への流入も抑制できる。スパイラルフリーザー14への異物や不純物の流入が抑制されることによりスパイラルフリーザー14内で冷凍食品に付着する霜も低減することができ、冷凍食品の品質を向上させること、例えば、冷凍食品の衣のサクサク感を維持することができる。
【００４８】
また、スパイラルフリーザー14の内部に向う気流を抑制すること、好ましくはファン６の駆動により発生する外部へと向う微弱な気流と、外部から筐体４内へ浸入しようとする微弱な気流とが、開孔部３付近において、ぶつかって釣り合った状態を保つこと、または、外部に対して、微弱な気流が流出する状態にすることで、スパイラルフリーザー14内への暖かいエアの流入も抑制されるのでスパイラルフリーザー14内の保冷効果も向上する。
【実施例５】
【００４９】
図９は、本発明の実施例５を示す。図９(a)は気流抑制装置13の前方側の全体構成を示す斜視図であり、図９(b)は気流抑制装置13の後方側の全体構成を示す斜視図である。気流抑制装置13前方側は開放されており、気流抑制装置13後面には、開口部５が設けられている点は、実施例１の場合と同様である。本実施例では、筐体４の１方の側面4aと上部4cと他方の側面4aに渡ってコ字状配管部21が設けられ、このコ字状配管部21の両端側が、両側面4a，4aに設けた送風部6a，6aに連通している。送風手段は、コ字状配管部21とその中央に設けられた1つのファン22とから構成されている。本実施例の気流抑制装置13を凍結室の開孔部３に設置した場合の動作原理、効果は上述した実施例１の場合と同様である。両側面4aの送風部6aが１つのファン22に接続されており、かつ、ファン22からの距離を等しくすることで、より確実に送風部6aからのエアの量を両側面4a，4aの送風部6a，6aで等しくすることができる。
【００５０】
なお、上述した実施の形態においては、凍結室の開孔部３の気流の抑制について述べたが、本発明はこれに限らず、冷却室、加熱室、作業室、居住空間等、仕切り壁によって仕切られた空間において、その仕切り壁の開孔部からの吸排気流を抑制したい場合は適用が可能である。
【００５１】
また、上述した実施の形態において搬送路はベルトコンベアとしたが、搬送路はベルトコンベアに限定されるものではなく、ネットコンベア、ロボットアームによる搬送、リフトによる搬送等へも適用が可能である。また、搬送路を有さない場合についても、仕切り壁によって仕切られた空間において、その仕切り壁の開孔部に対しても適用可能である。さらに、実施例では、送風部を筐体の側面に設けて側方から送風するようにしたが、送風部を筐体の上面と下面に設けて上下から送風するようにしてもよい。
【図面の簡単な説明】
【００５２】
【図１】本発明の実施例１を示す斜視図であり、図１(a)は気流抑制装置の前方側を示し、図１(b)は気流抑制装置の後方側を示す。
【図２】同上、凍結室の開孔部に気流抑制装置を設置した状態を示し、図２(a)は上面図、図２(b)は側面断面図、図２(c)は後面図である。
【図３】同上、気流抑制装置の動作(吸気状態)の説明を示し、図３(a)は水平断面図、図３(b)は側面断面図である。
【図４】同上、気流抑制装置の動作(排気状態)の説明を示し、図４(a)は水平断面図、図４(b)は側面断面図である。
【図５】本発明の実施例２を示し、図５(a)は上面図、図５(b)は側面断面図である。
【図６】同上、気流抑制装置の動作の説明を示す側面断面図であり、図６(a)は吸気状態、図６(b)は排気状態を示す。
【図７】本発明の実施例３を示し、図７(a)は上面図、図７(b)は側面断面図である。
【図８】本発明の実施例４を示す側面断面図である。
【図９】本発明の実施例５を示す斜視図であり、図９(a)は気流抑制装置の前方側を示し、図９(b)は気流抑制装置の後方側を示す。
【図１０】従来技術を示す概略図である。
【図１１】従来技術を示す概略図であり、ベルトコンベア上に製品がある状態を示す。
【符号の説明】
【００５３】
１、11、12、13  気流抑制装置
２  仕切り壁（仕切り部）
３  開孔部
４  筐体
4a  側面（他の対向する面）
4b  後面（仕切り部に対向する面）
５  開口部
６  ファン（送風手段）
6a  送風部
７  ベルトコンベア（搬送路）
【図１】
2006258356.tif 000003
【図２】
2006258356.tif 000004
【図３】
2006258356.tif 000005
【図４】
2006258356.tif 000006
【図５】
2006258356.tif 000007
【図６】
2006258356.tif 000008
【図７】
2006258356.tif 000009
【図８】
2006258356.tif 000010
【図９】
2006258356.tif 000011
【図１０】
2006258356.tif 000012
【図１１】
2006258356.tif 000013